(57)【要約】【課題】映像データを効率よく共有すること。【解決手段】記憶部１１は、映像データ提供装置２０から受信した特定の映像テーマについて第１の解像度の第１の映像データを記憶する。制御部１２は、他の装置からの特定の映像テーマについての要求に応じて、記憶部１１に記憶済みの第１の映像データを該他の装置に送信する。その後、制御部１２は、映像データ提供装置２０から受信した特定のテーマについて第１の解像度とは異なる第２の解像度の第２の映像データの記憶部１１への追加に応じて第２の映像データを他の装置に自動的に送信する制御を行う。【選択図】図１
2019050473.tif 000002
【特許請求の範囲】
【請求項１】
特定の映像テーマについて、第１の解像度の第１の映像データと、該第１の映像データに基づいて生成される第２の解像度の第２の映像データとを格納可能な第１の記憶部と、
前記特定の映像テーマについて、前記第１の映像データが前記第１の記憶部に記憶されたものの前記第２の映像データが前記第１の記憶部に記憶されていない状態で、前記第１の記憶部に記憶された映像データを情報処理装置に共有する設定を受け付け、前記設定に応じて、前記第１の映像データを前記情報処理装置に送信するとともに、前記第２の映像データの前記第１の記憶部への追加に応じて該第２の映像データを前記情報処理装置に送信する制御を行う第１の制御部と、
を備えた映像データ提供装置と、
前記映像データ提供装置から受信した前記特定の映像テーマについての前記第１の映像データを記憶する第２の記憶部と、
他の装置からの前記特定の映像テーマについての要求に応じて、前記第２の記憶部に記憶済みの前記第１の映像データを該他の装置に送信した後に、前記映像データ提供装置から前記第２の映像データを受信した場合に、前記第２の映像データを前記他の装置に自動的に送信する制御を行う第２の制御部と、
を備えた情報処理装置と、
を備えたことを特徴とする映像データ共有システム。
【請求項２】
前記第１の制御部は、前記第１の映像データが編集された映像データであり前記第１の解像度である第３の映像データの前記第１の記憶部への追加に応じて前記第３の映像データを前記情報処理装置に送信する制御を行い、
前記第２の制御部は、前記第２の映像データを前記他の装置に送信した後に、前記映像データ提供装置から前記第３の映像データを受信した場合に、前記第３の映像データを前記他の装置に自動的に送信する制御を行う、
ことを特徴とする請求項１記載の映像データ共有システム。
【請求項３】
前記第３の映像データの開始から終了までの時間は、前記第１の映像データの開始から終了までの時間よりも短い、
ことを特徴とする請求項２記載の映像データ共有システム。
【請求項４】
前記第２の制御部は、前記他の装置への送信対象の映像データの第１のエンコード形式を、前記他の装置に応じた第２のエンコード形式に変換する制御を行う、
ことを特徴とする請求項１乃至３の何れか１項に記載の映像データ共有システム。
【請求項５】
前記第２の制御部は、前記他の装置に対して前記第１の映像データを送信した後、前記他の装置以外の装置に対する前記第１の映像データおよび前記第２の映像データの送信を制限する制御を行う、
ことを特徴とする請求項１乃至４の何れか１項に記載の映像データ共有システム。
【請求項６】
前記第２の制御部は、前記第１の映像データおよび前記第２の映像データの送信に応じた課金額の情報を前記他の装置に送信する制御を行う、
ことを特徴とする請求項１乃至５の何れか１項に記載の映像データ共有システム。
【請求項７】
前記第２の解像度は、前記第１の解像度よりも低い、
ことを特徴とする請求項１乃至６の何れか１項に記載の映像データ共有システム。
【請求項８】
映像データ提供装置から受信した特定の映像テーマについて第１の解像度の第１の映像データを記憶し、
他の装置からの前記特定の映像テーマについての要求に応じて、記憶部に記憶済みの前記第１の映像データを該他の装置に送信した後に、前記映像データ提供装置から受信した前記特定のテーマについて前記第１の解像度とは異なる第２の解像度の第２の映像データの前記記憶部への追加に応じて該第２の映像データを前記他の装置に自動的に送信する制御を行う、
処理をコンピュータに実行させることを特徴とする映像データ共有プログラム。
【請求項９】
映像データ提供装置から受信した特定の映像テーマについて第１の解像度の第１の映像データを記憶し、
他の装置からの前記特定の映像テーマについての要求に応じて、記憶部に記憶済みの前記第１の映像データを該他の装置に送信した後に、前記映像データ提供装置から受信した前記特定のテーマについて前記第１の解像度とは異なる第２の解像度の第２の映像データの前記記憶部への追加に応じて該第２の映像データを前記他の装置に自動的に送信する制御を行う、
処理をコンピュータが実行することを特徴とする映像データ共有方法。
【請求項１０】
映像データ提供装置から受信した特定の映像テーマについて第１の解像度の第１の映像データを記憶する記憶部と、
他の装置からの前記特定の映像テーマについての要求に応じて、記憶部に記憶済みの前記第１の映像データを該他の装置に送信した後に、前記映像データ提供装置から受信した前記特定のテーマについて前記第１の解像度とは異なる第２の解像度の第２の映像データの前記記憶部への追加に応じて該第２の映像データを前記他の装置に自動的に送信する制御を行う制御部と、
を有することを特徴とする映像データ共有装置。
【発明の詳細な説明】
【技術分野】
【０００１】
本発明は映像データ共有システム、映像データ共有プログラム、映像データ共有方法および映像データ共有装置に関する。
【背景技術】
【０００２】
映像データを扱う放送局では、映像データの管理に、メディア資産管理（ＭＡＭ：Media Asset Management）システムが利用されている。ＭＡＭシステムは、放送局内における映像データの保存や編集などの管理を支援する。
【０００３】
例えば、ネットワークを介して接続された複数の端末のそれぞれから、番組の放送映像の素材となる映像データに対する放送日時の情報を受信し、放送日時の情報を基にして、複数の端末から映像データを受信する順序を判定する格納装置の提案がある。この提案では、判定した順序に従って、複数の端末のいずれかから映像データを受信することで、番組放送までの猶予時間の短い映像データを優先的に編集可能にする。
【０００４】
また、複数のユーザによるメディア構成の共同制作を支援するシステムの提案もある。この提案では、クライアントに格納された同期メディア・プロジェクトのアセットと、サーバに格納された同期メディア・プロジェクトのアセットとの間で同期を行う双方向プロジェクト同期サービスが考えられている。
【０００５】
更に、ユーザのコンテキスト（ユーザ入力やユーザプロフィール情報など）に基づいて、ビデオやオーディオなどのメディア資産を編集および生成するための提案またはテンプレートをユーザに提供するシステムの提案もある。
【先行技術文献】
【特許文献】
【０００６】
【特許文献１】特開２０１５−９５７８３号公報
【特許文献２】特開２０１５−２１６６３０号公報
【特許文献３】特開２０１３−５１６９１号公報
【発明の概要】
【発明が解決しようとする課題】
【０００７】
ある放送局により保有される映像データを別の放送局が取得して、放送用に編集することがある。編集用の映像データには、編集の対象となる高解像度の映像データ（放送用に使用可能）や、映像データにおける各シーンの確認などに用いられる低解像度の映像データ（例えば、高解像度の映像データから作成される）が含まれる。ここで、提供元の放送局から提供先の放送局へ映像データを提供する際、映像データの有無や提供元／提供先での編集状況を、提供元／提供先の作業者同士で確認し合いながら、提供元から提供先へ作業者の判断で映像データを随時提供している。しかし、この方法では、提供元／提供先の作業者同士の連携作業に時間がかかり、映像データを効率的に共有することができないという問題がある。
【０００８】
１つの側面では、本発明は、映像データを効率よく共有することを目的とする。
【課題を解決するための手段】
【０００９】
１つの態様では、映像データ共有システムが提供される。映像データ共有システムは、映像データ提供装置と情報処理装置とを備える。映像データ提供装置は、第１の記憶部と第１の制御部とを有する。第１の記憶部は、特定の映像テーマについて、第１の解像度の第１の映像データと、該第１の映像データに基づいて生成される第２の解像度の第２の映像データとを格納可能である。第１の制御部は、特定の映像テーマについて、第１の映像データが第１の記憶部に記憶されたものの第２の映像データが第１の記憶部に記憶されていない状態で、第１の記憶部に記憶された映像データを情報処理装置に共有する設定を受け付け、設定に応じて、第１の映像データを情報処理装置に送信するとともに、第２の映像データの第１の記憶部への追加に応じて該第２の映像データを情報処理装置に送信する制御を行う。情報処理装置は、第２の記憶部と第２の制御部とを有する。第２の記憶部は、映像データ提供装置から受信した特定の映像テーマについての第１の映像データを記憶する。第２の制御部は、他の装置からの特定の映像テーマについての要求に応じて、第２の記憶部に記憶済みの第１の映像データを該他の装置に送信した後に、映像データ提供装置から第２の映像データを受信した場合に、第２の映像データを他の装置に自動的に送信する制御を行う。
【発明の効果】
【００１０】
１つの側面では、映像データを効率よく共有することができる。
【図面の簡単な説明】
【００１１】
【図１】第１の実施の形態の映像データ共有システムを示す図である。
【図２】第２の実施の形態の映像データ共有システムを示す図である。
【図３】管理サーバのハードウェア例を示す図である。
【図４】映像データ共有システムの機能例を示す図である。
【図５】映像データの編集例を示す図である。
【図６】提供用映像管理テーブルの例を示す図である。
【図７】共有映像管理テーブルの例を示す図である。
【図８】受信映像管理テーブルの例を示す図である。
【図９】映像提供サーバの処理例を示すフローチャートである。
【図１０】管理サーバの処理例を示すフローチャートである。
【図１１】映像受信サーバの処理例を示すフローチャートである。
【図１２】映像データ共有システムのシーケンス例を示す図である。
【図１３】映像データの送信例（その１）を示す図である。
【図１４】映像データの送信例（その２）を示す図である。
【図１５】映像データの送信例（その３）を示す図である。
【発明を実施するための形態】
【００１２】
以下、本実施の形態について図面を参照して説明する。
［第１の実施の形態］
図１は、第１の実施の形態の映像データ共有システムを示す図である。映像データ共有システム１は、情報処理装置１０および映像データ提供装置２０を備える。また、映像データ共有システム１は、映像データ受信装置３０を備える。情報処理装置１０、映像データ提供装置２０および映像データ受信装置３０は、ネットワーク２に接続されている。情報処理装置１０は、映像データ提供装置２０および映像データ受信装置３０による動画の映像データの共有を支援する。情報処理装置１０は、映像データ共有装置と呼ばれてもよい。
【００１３】
情報処理装置１０は、記憶部１１および制御部１２を有する。映像データ提供装置２０は、記憶部２１および制御部２２を有する。
記憶部１１，２１は、ＲＡＭ（Random Access Memory）などの揮発性記憶装置でもよいし、ＨＤＤ（Hard Disk Drive）やフラッシュメモリなどの不揮発性記憶装置でもよい。制御部１２，２２は、ＣＰＵ（Central Processing Unit）、ＤＳＰ（Digital Signal Processor）、ＡＳＩＣ（Application Specific Integrated Circuit）、ＦＰＧＡ（Field Programmable Gate Array）などを含み得る。制御部１２，２２はプログラムを実行するプロセッサでもよい。「プロセッサ」には、複数のプロセッサの集合（マルチプロセッサ）も含まれ得る。映像データ受信装置３０も、情報処理装置１０および映像データ提供装置２０と同様に、記憶部や制御部を有する（図示を省略している）。
【００１４】
記憶部２１は、特定の映像テーマについて、第１の解像度の第１の映像データと、第１の映像データに基づいて生成される第２の解像度の第２の映像データとを格納可能である。例えば、第１の映像データは、映像データ提供装置２０を利用する第１のユーザによりカメラなどの撮像装置を用いて撮像された映像や第１のユーザによりコンピュータを用いて作成された映像（例えば、アニメーションなど）のデータである。第２の映像データの第２の解像度は、例えば、第１の映像データの第１の解像度よりも低い。また、特定のテーマは、第１の映像データおよび第２の映像データのジャンルや、第１の映像データおよび第２の映像データの内容に関係するキーワードなどでもよい。
【００１５】
制御部２２は、特定の映像データについて、第１の映像データが記憶部２１に記憶されたものの第２の映像データが記憶部２１に格納されていない状態で、記憶部２１に記憶された映像データを情報処理装置１０に共有する設定を受け付ける。制御部２２は、設定に応じて、第１の映像データを情報処理装置１０に送信するとともに、第２の映像データの記憶部２１への追加に応じて第２の映像データを情報処理装置１０に送信する制御を行う。
【００１６】
例えば、第１のユーザは、映像データ提供装置２０に接続された入力デバイス（図示を省略している）を用いて、第１の映像データを共有する設定の入力を行える。制御部２２は、当該設定に応じて、第１の映像データを情報処理装置１０に送信する（ステップＳａ１）。その後、制御部２２は、第２の映像データを記憶部２１に追加する制御を行う（ステップＳａ２）。第２の映像データは、第１の映像データに基づいて、映像データ提供装置２０により生成されてもよいし、映像データ提供装置２０に接続された別のコンピュータにより生成されてもよい。
【００１７】
そして、制御部２２は、第２の映像データの記憶部２１への追加に応じて、第２の映像データを情報処理装置１０に送信する制御を行う（ステップＳａ３）。例えば、制御部２２は、第２の映像データが記憶部２１に追加されたことを契機に、自動的に、第２の映像データを情報処理装置１０に送信してもよい。あるいは、制御部２２は、第２の映像データが記憶部２１に追加され、かつ、第１のユーザによる送信指示の入力を受け付けたことを契機に、第２の映像データを情報処理装置１０に送信してもよい。
【００１８】
記憶部１１は、映像データ提供装置２０から受信した特定の映像テーマについての第１の映像データを記憶する。
制御部１２は、映像データ提供装置２０から特定の映像テーマについての第１の映像データを受信し、記憶部１１に格納する制御を行う。
【００１９】
制御部１２は、映像データ受信装置３０からの特定の映像テーマについての要求に応じて、記憶部１１に記憶済みの第１の映像データを映像データ受信装置３０に送信した後に、映像データ提供装置２０から第２の映像データを受信した場合に、第２の映像データを映像データ受信装置３０に自動的に送信する制御を行う。ここで、映像データ受信装置３０は、情報処理装置１０および映像データ提供装置２０とは異なる他の装置である。
【００２０】
例えば、制御部１２は、映像データ受信装置３０から特定の映像テーマについての要求を受信し、当該特定の映像テーマに対応する記憶部１１に記憶済みの第１の映像データを検索する。そして、制御部１２は、検索された第１の映像データを映像データ受信装置３０に送信する（ステップＳｂ１）。ステップＳｂ１の段階では、第２の映像データは情報処理装置１０により未だ受信完了されていない。制御部１２は、ステップＳｂ１の後に、映像データ提供装置２０から第２の映像データを受信すると、第２の映像データを映像データ受信装置３０に自動的に送信する制御を行う（ステップＳｂ２）。また、制御部１２は、その後の映像データの共有のために、受信した第２の映像データを、記憶部１１に格納する制御も行う。
【００２１】
映像データ共有システム１によれば、映像データを効率よく共有することができる。具体的には次の通りである。
ここで、ある放送局（あるいは、映像の制作事業者でもよい）により保有される映像データを他の放送局により取得し、他の放送局で放送用に編集することがある。この場合、映像データ提供装置２０は、ある放送局（あるいは、映像の制作事業者）に属する。映像データ受信装置３０は、他の放送局に属する。編集用の映像データには、例えば、編集の対象となる高解像度の第１の映像データや、第１の映像データのうちの各シーンの確認などに用いられる低解像度の第２の映像データが含まれる。提供元の放送局と提供先の放送局とで映像データを共有する際、映像データの有無や提供元／提供先での編集状況を、提供元／提供先で作業を行うユーザ同士で確認し合いながら、提供元から提供先へユーザの判断で映像データを随時提供している。しかし、この方法では提供元／提供先のユーザ同士の連携作業に時間がかかり、映像データを効率的に共有することができないという問題がある。
【００２２】
そこで、映像データ共有システム１では、情報処理装置１０は、映像データ提供装置２０から受信した特定の映像テーマの第１の解像度の第１の映像データを保持する。情報処理装置１０は、映像データ受信装置３０の要求に応じて第１の映像データを送信した後、同テーマの第２の解像度の第２の映像データを映像データ提供装置２０から受信すると、第２の映像データを映像データ受信装置３０に自動的に送信する。これにより、映像データ提供装置２０を利用するユーザおよび映像データ受信装置３０を利用するユーザの間で編集状況の確認を行いながら映像データを提供する連携作業を省力化でき、映像データの共有を効率化することができる。特に、提供元の放送局などで各種の映像データが作成され次第、作成された映像データを適時に（タイムリーに）共有可能になる。
【００２３】
以下では、より具体的なシステムを例示して、映像データ共有システム１の機能を更に詳細に説明する。
［第２の実施の形態］
図２は、第２の実施の形態の映像データ共有システムを示す図である。第２の実施の形態の映像データ共有システムは、放送局間または映像制作事業者と放送局との間での映像データの共有を支援する。映像データ共有システムは、管理サーバ１００、映像提供サーバ２００および映像受信サーバ３００を有する。管理サーバ１００、映像提供サーバ２００および映像受信サーバ３００は、ネットワーク５０に接続されている。ネットワーク５０は、例えば、インターネットやＷＡＮ（Wide Area Network）である。管理サーバ１００は、データセンタ６０に設けられている。映像提供サーバ２００は、ある放送事業者のＡ放送局７０に設けられている。映像受信サーバ３００は、別の放送事業者のＢ放送局８０に設けられている。ただし、Ｂ放送局８０は、Ａ放送局７０と同じ放送事業者の、Ａ放送局７０が存在する地方とは異なる地方の地方局でもよい。地方は、国内および海外の何れの地方でもよい。また、Ａ放送局７０およびＢ放送局８０の種類も様々であり、例えば、スポーツ番組専門の放送局や情報提供番組専門の放送局などが考えられる。
【００２４】
管理サーバ１００は、Ａ放送局７０およびＢ放送局８０における動画の映像データの共有を支援するサーバコンピュータである。管理サーバ１００は、映像データの共有に伴う課金管理も行う。課金は、他の放送局（または、映像制作事業者）から映像データを取得した放送局に発生する。すなわち、ある放送局が、他の放送局などから映像データの提供を受ける場合、提供を受けた放送局は、提供元の他の放送局などに対して対価を支払うこともある（例えば、他の放送事業者の放送局から有料の映像データの提供を受ける場合）。
【００２５】
なお、管理サーバ１００は、オンプレミスにより実現されてもよいし、クラウドコンピューティングにより実現されてもよい。例えば、各放送局は、クラウドコンピューティングによるサービスを利用することで、管理サーバ１００の機能をもつサーバコンピュータやストレージなどのハードウェアを自身で用意しなくても、他の放送局との映像データの共有を円滑に行える。
【００２６】
映像提供サーバ２００は、Ａ放送局７０により取得された映像データを記憶するサーバコンピュータである。映像提供サーバ２００は、他の放送局（例えば、Ｂ放送局８０）と、管理サーバ１００を介して、映像データを共有する。映像提供サーバ２００は、映像制作事業者により作成された映像データを記憶するサーバコンピュータでもよい。
【００２７】
映像受信サーバ３００は、Ｂ放送局８０により取得された映像データを記憶するサーバコンピュータである。映像受信サーバ３００は、他の放送局（例えば、Ａ放送局７０）と、管理サーバ１００を介して、映像データを共有する。
【００２８】
ここで、映像提供サーバ２００および映像受信サーバ３００それぞれは、管理サーバ１００と連携して、映像データの他の放送局へ提供する機能、および、他の放送局の映像データを受信する機能の両方を有する。第２の実施の形態では、主に、映像提供サーバ２００が映像データを提供する役割を担い、映像受信サーバ３００が映像データを受信する役割を担う場合を例示する。それぞれの役割を区別し易いように、映像提供サーバ２００および映像受信サーバ３００というようにサーバ名を別個にしている。ただし、映像受信サーバ３００が提供する映像データを、映像提供サーバ２００が取得することもある。
【００２９】
図３は、管理サーバのハードウェア例を示す図である。管理サーバ１００は、プロセッサ１０１、ＲＡＭ１０２、ＨＤＤ１０３、画像信号処理部１０４、入力信号処理部１０５、媒体リーダ１０６およびＮＩＣ（Network Interface Card）１０７を有する。各ハードウェアは管理サーバ１００のバスに接続されている。映像提供サーバ２００および映像受信サーバ３００も管理サーバ１００と同様のハードウェアを用いて実現できる。
【００３０】
プロセッサ１０１は、管理サーバ１００の情報処理を制御するハードウェアである。プロセッサ１０１は、マルチプロセッサであってもよい。プロセッサ１０１は、例えばＣＰＵ、ＤＳＰ、ＡＳＩＣまたはＦＰＧＡなどである。プロセッサ１０１は、ＣＰＵ、ＤＳＰ、ＡＳＩＣ、ＦＰＧＡなどのうちの２以上の要素の組み合わせであってもよい。
【００３１】
ＲＡＭ１０２は、管理サーバ１００の主記憶装置である。ＲＡＭ１０２は、プロセッサ１０１に実行させるＯＳ（Operating System）のプログラムやアプリケーションプログラムの少なくとも一部を一時的に記憶する。また、ＲＡＭ１０２は、プロセッサ１０１による処理に用いる各種データを記憶する。
【００３２】
ＨＤＤ１０３は、管理サーバ１００の補助記憶装置である。ＨＤＤ１０３は、内蔵した磁気ディスクに対して、磁気的にデータの書き込みおよび読み出しを行う。ＨＤＤ１０３は、ＯＳのプログラム、アプリケーションプログラム、および各種データを記憶する。管理サーバ１００は、フラッシュメモリやＳＳＤ（Solid State Drive）などの他の種類の補助記憶装置を備えてもよく、複数の補助記憶装置を備えてもよい。
【００３３】
画像信号処理部１０４は、プロセッサ１０１からの命令に従って、管理サーバ１００に接続されたディスプレイ５１に画像を出力する。ディスプレイ５１として、ＣＲＴ（Cathode Ray Tube）ディスプレイや液晶ディスプレイなどを用いることができる。
【００３４】
入力信号処理部１０５は、管理サーバ１００に接続された入力デバイス５２から入力信号を取得し、プロセッサ１０１に出力する。入力デバイス５２として、例えば、マウスやタッチパネルなどのポインティングデバイス、キーボードなどを用いることができる。
【００３５】
媒体リーダ１０６は、記録媒体５３に記録されたプログラムやデータを読み取る装置である。記録媒体５３として、例えば、フレキシブルディスク（ＦＤ：Flexible Disk）やＨＤＤなどの磁気ディスク、ＣＤ（Compact Disc）やＤＶＤ（Digital Versatile Disc）などの光ディスク、光磁気ディスク（ＭＯ：Magneto-Optical disk）を使用できる。また、記録媒体５３として、例えば、フラッシュメモリカードなどの不揮発性の半導体メモリを使用することもできる。媒体リーダ１０６は、例えば、プロセッサ１０１からの命令に従って、記録媒体５３から読み取ったプログラムやデータをＲＡＭ１０２またはＨＤＤ１０３に格納する。
【００３６】
ＮＩＣ１０７は、ネットワーク５０を介して管理サーバ１００と通信を行う通信インタフェースである。ＮＩＣ１０７は、有線通信インタフェースでもよいし、無線通信インタフェースでもよい。
【００３７】
図４は、映像データ共有システムの機能例を示す図である。管理サーバ１００は、記憶部１１０、受信処理部１２０、変換部１３０および送信処理部１４０を有する。記憶部１１０は、ＲＡＭ１０２やＨＤＤ１０３の記憶領域により実現される。
【００３８】
受信処理部１２０、変換部１３０および送信処理部１４０は、プロセッサ１０１により実現される。例えば、プロセッサ１０１は、ＲＡＭ１０２に記憶されたプログラムを実行することで受信処理部１２０、変換部１３０および送信処理部１４０の機能を発揮する。あるいは、受信処理部１２０、変換部１３０および送信処理部１４０は、ＦＰＧＡやＡＳＩＣなどのハードワイヤードロジックにより実現されてもよい。
【００３９】
記憶部１１０は、映像データおよび映像データに関するメタデータ１１１を記憶する。
メタデータ１１１は、映像データの映像テーマを示す情報であり、例えば、映像データのジャンルや、内容を表すキーワードなどである。
【００４０】
高レゾ素材１１２は、映像提供サーバ２００により提供される映像データのうち、高解像度のものである。「高レゾ」は、高レゾリューション（Resolution）の略である。
低レゾ素材１１３は、映像提供サーバ２００により提供される映像データのうち、高レゾ素材１１２と比べて低解像度のものである。「低レゾ」は、低レゾリューションの略である。低レゾ素材１１３は、映像提供サーバ２００により高レゾ素材１１２から作成される。
【００４１】
送信用高レゾ映像１１４は、映像提供サーバ２００により高レゾ素材１１２が編集された編集後の映像データである。送信用高レゾ映像１１４は、映像提供サーバ２００により高レゾ素材１１２から作成される。
【００４２】
コード変換映像１１５は、管理サーバ１００による送信用高レゾ映像１１４のトランスコード（コード変換）後の映像データである。トランスコードは、映像データのエンコード形式を、第１のエンコード形式から第２のエンコード形式に変換する処理である。映像データのエンコード形式には、例えば、ＱｕｉｃｋＴｉｍｅ（登録商標）形式（拡張子は“．ｍｏｖ”）、ＤＶＣ（Distributed Video Coding）形式（拡張子は“．ＤＶＣ”）およびＭＸＦ（Material eXchange Format）形式（拡張子は“．ｍｘｆ”）などが挙げられる。
【００４３】
受信処理部１２０は、メタデータ１１１、高レゾ素材１１２、低レゾ素材１１３および送信用高レゾ映像１１４を、映像提供サーバ２００から受信し、記憶部１１０に格納する。
【００４４】
変換部１３０は、送信用高レゾ映像１１４のエンコード形式を変換して、コード変換映像１１５を生成するトランスコーダである。変換部１３０は、映像データの要求元で扱われるエンコード形式に応じて、変換先のエンコード形式を決定し、トランスコードを実行する。
【００４５】
送信処理部１４０は、映像受信サーバ３００の要求に応じて、映像提供サーバ２００から受信したメタデータ１１１、高レゾ素材１１２および低レゾ素材１１３を映像受信サーバ３００に送信する。また、送信処理部１４０は、映像受信サーバ３００のソフトウェアによって扱われるエンコード形式に応じて、送信用高レゾ映像１１４またはコード変換映像１１５を映像受信サーバ３００に送信する。
【００４６】
映像提供サーバ２００は、記憶部２１０、送信処理部２２０および受信処理部２３０を有する。
記憶部２１０は、映像提供サーバ２００が備えるＲＡＭやＨＤＤの記憶領域により実現される。
【００４７】
送信処理部２２０および受信処理部２３０は、映像提供サーバ２００が備えるプロセッサにより実現される。例えば、プロセッサは、映像提供サーバ２００が備えるＲＡＭに記憶されたプログラムを実行することで送信処理部２２０および受信処理部２３０の機能を発揮する。あるいは、送信処理部２２０および受信処理部２３０は、ＦＰＧＡやＡＳＩＣなどのハードワイヤードロジックにより実現されてもよい。
【００４８】
記憶部２１０は、メタデータ２１１、高レゾ素材２１２、低レゾ素材２１３および送信用高レゾ映像２１４を記憶する。メタデータ２１１は、Ａ放送局７０のユーザにより高レゾ素材２１２に対して設定される。高レゾ素材２１２は、Ａ放送局７０により取得された高解像度の映像データである。低レゾ素材２１３は、映像提供サーバ２００または映像提供サーバ２００と接続された他のコンピュータにより高レゾ素材２１２を基に生成された低解像度の映像データである。送信用高レゾ映像２１４は、Ａ放送局７０のユーザによる高レゾ素材２１２の編集後の映像データである。
【００４９】
送信処理部２２０は、記憶部２１０に記憶されたメタデータ２１１、高レゾ素材２１２、低レゾ素材２１３および送信用高レゾ映像２１４を、管理サーバ１００に順次送信する。管理サーバ１００におけるメタデータ１１１、高レゾ素材１１２、低レゾ素材１１３および送信用高レゾ映像１１４は、それぞれメタデータ２１１、高レゾ素材２１２、低レゾ素材２１３および送信用高レゾ映像２１４に相当する。
【００５０】
受信処理部２３０は、Ｂ放送局８０の映像データを取得する場合に、管理サーバ１００から当該映像データを受信し、記憶部２１０に格納する。
映像受信サーバ３００は、記憶部３１０、送信処理部３２０および受信処理部３３０を有する。
【００５１】
記憶部３１０は、映像受信サーバ３００が備えるＲＡＭやＨＤＤの記憶領域により実現される。
送信処理部３２０および受信処理部３３０は、映像受信サーバ３００が備えるプロセッサにより実現される。例えば、プロセッサは、映像受信サーバ３００が備えるＲＡＭに記憶されたプログラムを実行することで送信処理部３２０および受信処理部３３０の機能を発揮する。あるいは、送信処理部３２０および受信処理部３３０は、ＦＰＧＡやＡＳＩＣなどのハードワイヤードロジックにより実現されてもよい。
【００５２】
記憶部３１０は、メタデータ３１１、高レゾ素材３１２、低レゾ素材３１３および送信用高レゾ映像３１４を記憶する。メタデータ３１１は、映像提供サーバ２００により提供されたメタデータである。高レゾ素材３１２は、映像提供サーバ２００により提供された高解像度の映像データである。低レゾ素材３１３は、映像提供サーバ２００により提供された低解像度の映像データである。送信用高レゾ映像３１４は、映像提供サーバ２００により提供された高レゾ素材３１２の編集後の映像データである。送信用高レゾ映像３１４は、送信用高レゾ映像２１４（および送信用高レゾ映像１１４）と同じものである場合もあるし、管理サーバ１００によるトランスコード後のコード変換映像１１５と同じものである場合もある。
【００５３】
送信処理部３２０は、Ａ放送局７０に映像データを提供する場合に、管理サーバ１００に記憶部３１０に記憶された映像データを送信する。
受信処理部３３０は、Ａ放送局７０により提供されたメタデータ３１１、高レゾ素材３１２、低レゾ素材３１３および送信用高レゾ映像３１４を管理サーバ１００から受信し、記憶部３１０に格納する。
【００５４】
図５は、映像データの編集例を示す図である。図５では、映像提供サーバ２００における高レゾ素材２１２、低レゾ素材２１３および送信用高レゾ映像２１４の一例として、野球の試合の映像を考える。
【００５５】
高レゾ素材２１２は、野球場に設けられたカメラで撮影された高解像度の映像データである。例えば、高レゾ素材２１２は、試合開始から試合終了まで撮影された３時間の映像を含む。また、高レゾ素材２１２は、ホームランなどの３つの見所シーンを含む。高レゾ素材２１２は、高レゾ素材２１２の提供を受けた他の放送局（例えば、Ｂ放送局８０）による編集が可能である。
【００５６】
低レゾ素材２１３は、映像提供サーバ２００により、高レゾ素材２１２の解像度を低減することで作成される。低レゾ素材２１３は、高レゾ素材２１２と同様に、試合開始から試合終了まで撮影された３時間の映像を含む。解像度を減らすことで、低レゾ素材２１３のデータサイズは、高レゾ素材２１２のデータサイズよりも小さくなる。このため、見所シーンの確認などのように、映像全体の中の１シーンを抽出するような作業では、高レゾ素材２１２を用いるより、低レゾ素材２１３を用いた方が当該作業に用いられるソフトウェアの処理負荷が小さくなり、作業を効率的に（例えば、速く）行える。
【００５７】
送信用高レゾ映像２１４は、高レゾ素材２１２に基づいて生成される。送信用高レゾ映像２１４は、高レゾ素材２１２の解像度を落とさずに、例えば、高レゾ素材２１２の中の３つの見所シーンを抽出して、繋げた映像である。このため、送信用高レゾ映像２１４の開始から終了までの時間は、高レゾ素材２１２の開始から終了までの時間よりも短い。送信用高レゾ映像２１４は、所定時間（例えば、３分など）になるように編集される。送信用高レゾ映像２１４の当該所定時間が、番組で予定されている尺に合えば、送信用高レゾ映像２１４に対応する送信用高レゾ映像３１４の提供を受けたＢ放送局８０は、送信用高レゾ映像３１４をそのまま番組内で視聴者向けに放送することもできる。
【００５８】
図６は、提供用映像管理テーブルの例を示す図である。提供用映像管理テーブル２１５は、記憶部２１０に格納されている。提供用映像管理テーブル２１５は、タイトル、メタデータ、高レゾ素材、低レゾ素材、送信用高レゾ映像、ステータスおよび共有フラグの項目を含む。
【００５９】
タイトルの項目には、映像データのタイトルが登録される。メタデータの項目には、メタデータが登録される。高レゾ素材の項目には、高レゾ素材のファイルの識別名（ファイル名）が登録される。低レゾ素材の項目には、低レゾ素材のファイル名が登録される。高レゾ素材に対応する低レゾ素材が未だ存在しない場合には、低レゾ素材の項目は設定なし（“−”ハイフン記号で表す）となる。送信用高レゾ映像の項目には、送信用高レゾ映像のファイル名が登録される。高レゾ素材に対応する送信用高レゾ映像が未だ存在しない場合には、送信用高レゾ映像の項目は設定なしとなる。ステータスの項目には、映像提供サーバ２００における映像データの編集状況を示すステータスが登録される。ステータスには、例えば、“未作成”、“編集中”および“編集済み”がある。“未作成”は、送信用高レゾ映像の作成に着手されていないことを示す。“編集中”は、送信用高レゾ映像を作成中であることを示す。“編集済み”は、送信用高レゾ映像を作成済みであることを示す。共有フラグの項目には、他の放送局との当該映像データの共有を許可するか否かを示す共有フラグが登録される。共有フラグ“ＴＲＵＥ”は、共有を許可することを示す。共有フラグ“ＦＡＬＳＥ”は、共有を許可しないことを示す。共有フラグの初期値は、“ＦＡＬＳＥ”である。
【００６０】
例えば、提供用映像管理テーブル２１５には、タイトルが“チームＧ対チームＴ”、メタデータが“長島”、高レゾ素材が“ｎａｇａｓｉｍａＳ．ｍｏｖ”、低レゾ素材が“ｎａｇａｓｉｍａＬ．ｍｏｖ”、送信用高レゾ映像が“ｎａｇａｓｉｍａＨ．ｍｏｖ”、ステータスが“編集済み”、共有フラグが“ＴＲＵＥ”という情報が登録される。
【００６１】
これは、“チームＧ対チームＴ”というタイトルの映像データに、メタデータ“長島”が付されていることを示す。また、当該タイトルおよびメタデータの組に、ファイル名“ｎａｇａｓｉｍａＳ．ｍｏｖ”の高レゾ素材、ファイル名“ｎａｇａｓｉｍａＬ．ｍｏｖ”の低レゾ素材、ファイル名“ｎａｇａｓｉｍａＨ．ｍｏｖ”の送信用高レゾ映像が対応することを示す。更に、高レゾ素材“ｎａｇａｓｉｍａＳ．ｍｏｖ”に対する送信用高レゾ映像を作成済み（ステータス“編集済み”）であり、映像データの共有が許可されていること（共有フラグ“ＴＲＵＥ”）を示す。
【００６２】
図７は、共有映像管理テーブルの例を示す図である。共有映像管理テーブル１１６は、記憶部１１０に格納されている。共有映像管理テーブル１１６は、タイトル、メタデータ、高レゾ素材、低レゾ素材、送信用高レゾ映像、ステータス、提供元、リクエスト局、トランスコード映像および使用日時の項目を含む。
【００６３】
タイトルの項目には、映像データのタイトルが登録される。メタデータの項目には、メタデータが登録される。高レゾ素材の項目には、高レゾ素材のファイル名が登録される。映像提供サーバ２００からタイトルおよびメタデータを受信済みだが高レゾ素材を未受信の場合、高レゾ素材の項目は設定なしとなる。低レゾ素材の項目には、低レゾ素材のファイル名が登録される。映像提供サーバ２００から低レゾ素材を未受信の場合、低レゾ素材の項目は設定なしとなる。送信用高レゾ映像の項目には、送信用高レゾ映像のファイル名が登録される。ステータスの項目には、映像提供サーバ２００における映像データの編集状況を示すステータスが登録される。ステータスの具体的な設定内容は、図６の同名の項目の設定内容と同じである。提供元の項目には、映像データの提供元を示す識別情報（例えば、提供元の放送局名）が登録される。リクエスト局の項目には、映像データの要求元を示す識別情報（要求元の放送局名）が登録される。トランスコード映像の項目には、送信用高レゾ映像のエンコード形式を別のエンコード形式に変換した映像データのファイル名が登録される。該当の送信用高レゾ映像に対してトランスコードを未実行の場合には、トランスコード映像の項目は設定なしとなる。使用日時の項目には、送信用高レゾ映像またはトランスコード映像を、映像受信サーバ３００に送信した日時（使用日時）が登録される。使用日時の項目は、レコードが作成された当初は設定なしである。
【００６４】
例えば、共有映像管理テーブル１１６には、タイトルが“チームＧ対チームＴ”、メタデータが“長島”、高レゾ素材が“ｎａｇａｓｉｍａＳ．ｍｏｖ”、低レゾ素材が“ｎａｇａｓｉｍａＬ．ｍｏｖ”、送信用高レゾ映像が“ｎａｇａｓｉｍａＨ．ｍｏｖ”、ステータスが“編集済み”、提供元が“Ａ放送局”、リクエスト局が“Ｂ放送局”、トランスコード映像が“ｎａｇａｓｉｍａＨ．ＤＶＣ”、使用日時が“２０１５／１０／６  １７：００”という情報が登録される。
【００６５】
これは、“チームＧ対チームＴ”というタイトルの映像データに、メタデータ“長島”が付されていることを示す。また、当該タイトルおよびメタデータの組に対して、ファイル名“ｎａｇａｓｉｍａＳ．ｍｏｖ”の高レゾ素材、ファイル名“ｎａｇａｓｉｍａＬ．ｍｏｖ”の低レゾ素材、ファイル名“ｎａｇａｓｉｍａＨ．ｍｏｖ”の送信用高レゾ映像を受信済みであることを示す。更に、これら映像データの提供元がＡ放送局７０であり、リクエスト局がＢ放送局８０であり、送信用高レゾ映像に対して、トランスコード映像“ｎａｇａｓｉｍａＨ．ＤＶＣ”を作成済みであることを示す。また、トランスコード映像“ｎａｇａｓｉｍａＨ．ＤＶＣ”を映像提供サーバ２００に送信済みであり、使用日時が２０１５年１０月６日１７時００分であることを示す。
【００６６】
ここで、提供用映像管理テーブル２１５において共有フラグ“ＦＡＬＳＥ”が設定された映像データに関するレコードは、共有映像管理テーブル１１６には登録されていない。
図８は、受信映像管理テーブルの例を示す図である。受信映像管理テーブル３１５は、記憶部３１０に格納されている。受信映像管理テーブル３１５は、タイトル、メタデータ、高レゾ素材、低レゾ素材、送信用高レゾ映像およびステータスの項目を含む。
【００６７】
タイトルの項目には、映像データのタイトルが登録される。メタデータの項目には、メタデータが登録される。高レゾ素材の項目には、高レゾ素材のファイル名が登録される。管理サーバ１００からタイトルおよびメタデータを受信済みだが高レゾ素材を未受信の場合、高レゾ素材の項目は設定なしとなる。低レゾ素材の項目には、低レゾ素材のファイル名が登録される。管理サーバ１００から低レゾ素材を未受信の場合、低レゾ素材の項目は設定なしとなる。送信用高レゾ映像の項目には、送信用高レゾ映像のファイル名が登録される。管理サーバ１００から送信用高レゾ映像を未受信の場合、送信用高レゾ映像の項目は設定なしとなる。ステータスの項目には、映像提供サーバ２００における映像データの編集状況を示すステータスが登録される。ステータスの具体的な設定内容は、図６の同名の項目の設定内容と同じである。
【００６８】
例えば、受信映像管理テーブル３１５には、タイトルが“チームＧ対チームＴ”、メタデータが“長島”、高レゾ素材が“ｎａｇａｓｉｍａＳ．ｍｏｖ”、低レゾ素材が“ｎａｇａｓｉｍａＬ．ｍｏｖ”、送信用高レゾ映像が“ｎａｇａｓｉｍａＨ．ｍｏｖ”、ステータスが“編集済み”という情報が登録される。
【００６９】
これは、“チームＧ対チームＴ”というタイトルの映像データに、メタデータ“長島”が付されていることを示す。また、当該タイトルおよびメタデータの組に、ファイル名“ｎａｇａｓｉｍａＳ．ｍｏｖ”の高レゾ素材、ファイル名“ｎａｇａｓｉｍａＬ．ｍｏｖ”の低レゾ素材、ファイル名“ｎａｇａｓｉｍａＨ．ｍｏｖ”の送信用高レゾ映像が対応することを示す。更に、高レゾ素材“ｎａｇａｓｉｍａＳ．ｍｏｖ”に対する送信用高レゾ映像を作成済み（ステータス“編集済み”）であることを示す。
【００７０】
次に、映像データ共有システムの処理手順を説明する。まず、映像提供サーバ２００の処理手順を説明する。
図９は、映像提供サーバの処理例を示すフローチャートである。以下、図９に示す処理をステップ番号に沿って説明する。
【００７１】
（Ｓ１１）送信処理部２２０は、記憶部２１０に格納された高レゾ素材２１２のタイトル、メタデータ２１１および高レゾ素材２１２の編集状況を管理サーバ１００に送信する。編集状況が送信される映像データは、記憶部２１０に記憶された提供用映像管理テーブル２１５において、共有フラグ“ＴＲＵＥ”が設定された映像データに限られる。このタイミングでは、送信処理部２２０は、特定のメタデータ２１１について、高レゾ素材２１２が記憶部２１０に記憶されたものの低レゾ素材２１３が記憶部２１０に記憶されていない状態である。この状態で、送信処理部２２０は、記憶部２１０に記憶された高レゾ素材２１２および高レゾ素材２１２から派生する低レゾ素材２１３や送信用高レゾ映像２１４などの映像データを管理サーバ１００を含む他のサーバに共有する設定（共有フラグ“ＴＲＵＥ”）を受け付けることができる。
【００７２】
また、送信処理部２２０は、記憶部２１０に高レゾ素材２１２が格納され、共有フラグが“ＴＲＵＥ”に設定されたときに、編集状況としてステータス“未作成”を管理サーバ１００に送信する。送信処理部２２０は、高レゾ素材２１２の編集が開始されたときに、ステータス“編集中”を管理サーバ１００に送信する。送信処理部２２０は、高レゾ素材２１２の編集が完了し、送信用高レゾ映像２１４の作成を完了したときに、ステータス“編集済み”を管理サーバ１００に送信する。
【００７３】
（Ｓ１２）受信処理部２３０は、高レゾ素材２１２のリクエストを管理サーバ１００から受信する。
（Ｓ１３）受信処理部２３０は、記憶部２１０に記憶された高レゾ素材２１２を管理サーバ１００に送信する。
【００７４】
（Ｓ１４）映像提供サーバ２００における所定の映像処理ソフトウェアは、高レゾ素材２１２から低レゾ素材２１３を生成し、記憶部２１０に格納する。
（Ｓ１５）送信処理部２２０は、記憶部２１０に低レゾ素材２１３が格納されると、低レゾ素材２１３を管理サーバ１００に送信する。
【００７５】
（Ｓ１６）映像提供サーバ２００における所定の映像処理ソフトウェアは、高レゾ素材２１２に対するＡ放送局７０のユーザの編集操作を受け付け、当該編集に応じた送信用高レゾ映像２１４を生成し、記憶部２１０に格納する。
【００７６】
（Ｓ１７）送信処理部２２０は、記憶部２１０に送信用高レゾ映像２１４が格納されると、送信用高レゾ映像２１４を管理サーバ１００に送信する。
（Ｓ１８）送信処理部２２０は、送信用高レゾ映像２１４の提供に応じた映像提供料金を精算する。送信処理部２２０は、映像提供料金を管理サーバ１００に送信する。そして、送信処理部２２０は、処理を終了する。
【００７７】
このように、映像提供サーバ２００は、メタデータ２１１について、高レゾ素材２１２が記憶部２１０に記憶されたものの低レゾ素材２１３が記憶部２１０に記憶されていない状態で、高レゾ素材２１２および高レゾ素材２１２から派生する低レゾ素材２１３や送信用高レゾ映像２１４などの映像データを管理サーバ１００に共有する設定を受け付ける。映像提供サーバ２００は、当該設定に応じて、高レゾ素材２１２を管理サーバ１００に送信するとともに、低レゾ素材２１３の記憶部２１０への追加に応じて低レゾ素材２１３を管理サーバ１００に送信する。また、映像提供サーバ２００は、当該設定に応じて、送信用高レゾ映像２１４の記憶部２１０への追加に応じて送信用高レゾ映像２１３を管理サーバ１００に送信する。
【００７８】
ここで、映像提供サーバ２００は、高レゾ素材２１２に対して共有フラグ“ＴＲＵＥ”が設定されたことを契機に、高レゾ素材２１２を管理サーバ１００に、自動的に送信してもよい。また、映像提供サーバ２００は、記憶部２１０に低レゾ素材２１３が格納されたことを契機に、低レゾ素材２１３を管理サーバ１００に、自動的に送信してもよい。更に、映像提供サーバ２００は、記憶部２１０に送信用高レゾ映像２１３が格納されたことを契機に、送信用高レゾ映像２１３を管理サーバ１００に、自動的に送信してもよい。
【００７９】
次に、管理サーバ１００の処理手順を説明する。
図１０は、管理サーバの処理例を示すフローチャートである。以下、図１０に示す処理をステップ番号に沿って説明する。
【００８０】
（Ｓ２１）受信処理部１２０は、映像提供元（映像提供サーバ２００）から各映像データの編集状況（ステータス）を受信し、記憶部１１０に記憶された共有映像管理テーブル１１６に登録する。以後、受信処理部１２０は、編集状況が変化したタイミングで、映像提供サーバ２００から変化後のステータスを受信し、共有映像管理テーブル１１６に登録する。
【００８１】
（Ｓ２２）受信処理部１２０は、映像受信サーバ３００からメタデータ１１１（メタデータ２１１に相当）の検索を受け付ける。具体的には、受信処理部１２０は、メタデータ１１１を含む検索クエリを映像受信サーバ３００から受信し、共有映像管理テーブル１１６を参照して、検索クエリに含まれるメタデータ１１１を検索する。
【００８２】
（Ｓ２３）送信処理部１４０は、検索されたメタデータ１１１（およびタイトル）を、提供先（映像受信サーバ３００）に送信する。
（Ｓ２４）送信処理部１４０は、記憶部１１０を参照して、検索されたメタデータ１１１に対応する高レゾ素材、低レゾ素材および送信用高レゾ映像を取得済みであるか否かを判定する。高レゾ素材、低レゾ素材および送信用高レゾ映像を全て取得済みである場合、送信処理部１４０は、ステップＳ３４に処理を進める。高レゾ素材、低レゾ素材および送信用高レゾ映像の少なくとも何れかを取得済みでない場合、送信処理部１４０は、ステップＳ２５に処理を進める。ここで、管理サーバ１００は、高レゾ素材、低レゾ素材および送信用高レゾ映像を、映像提供サーバ２００から全て取得済みのこともある（例えば、Ａ放送局７０のユーザが事前にそれらを管理サーバ１００にアップロードしていた場合など）。
【００８３】
（Ｓ２５）送信処理部１４０は、メタデータ１１１に対応する高レゾ素材のリクエストを映像提供サーバ２００に送信する（高レゾ素材を提供元にリクエスト）。
（Ｓ２６）受信処理部１２０は、リクエストに応じた高レゾ素材１１２（高レゾ素材２１２に相当）を映像提供サーバ２００から受信し、記憶部１１０に格納する。受信処理部１２０は、受信した高レゾ素材１１２の情報（パスを含むファイル名）を共有映像管理テーブル１１６に登録する。
【００８４】
（Ｓ２７）送信処理部１４０は、記憶部１１０に記憶された高レゾ素材１１２を、映像受信サーバ３００に送信する。
（Ｓ２８）受信処理部１２０は、高レゾ素材１１２に対応する低レゾ素材１１３（低レゾ素材２１３に相当）を映像提供サーバ２００から受信し、記憶部１１０に格納する。受信処理部１２０は、受信した低レゾ素材１１３の情報を共有映像管理テーブル１１６に登録する。
【００８５】
（Ｓ２９）送信処理部１４０は、低レゾ素材１１３が記憶部１１０に格納されると、記憶部１１０に記憶された低レゾ素材１１３を、自動的に、映像受信サーバ３００に送信する。
【００８６】
（Ｓ３０）受信処理部１２０は、高レゾ素材１１２に対応する送信用高レゾ映像１１４（送信用高レゾ映像２１４に相当）を、映像提供サーバ２００から受信し、記憶部１１０に格納する。受信処理部１２０は、受信した送信用高レゾ映像１１４の情報を共有映像管理テーブル１１６に登録する。また、受信処理部１２０は、メタデータ１１１に対するステータス“編集済み”を共有映像管理テーブル１１６に登録する。
【００８７】
（Ｓ３１）変換部１３０は、映像受信サーバ３００では放送用のエンコード形式として送信用高レゾ映像１１４とは別のエンコード形式が指定されていることを検出する。例えば、記憶部１１０には、映像受信サーバ３００で放送用に利用されるエンコード形式が予め登録されている。あるいは、ステップＳ２２の検索クエリに、映像受信サーバ３００で所望されるエンコード形式が含まれていてもよい。後者の場合、受信処理部１２０は、受信したエンコード形式を記憶部１１０に格納しておいてもよい。変換部１３０は、送信用高レゾ映像１１４をトランスコードすることで、映像受信サーバ３００で放送用に利用されるエンコード形式に変換したコード変換映像１１５を生成し、記憶部１１０に格納する。
【００８８】
（Ｓ３２）送信処理部１４０は、コード変換映像１１５に対応する使用日時に現在の日時を設定する。
（Ｓ３３）送信処理部１４０は、記憶部１１０に記憶されたトランスコード後のコード変換映像１１５を、自動的に、映像受信サーバ３００に送信する。そして、送信処理部１４０は、ステップＳ３７に処理を進める。
【００８９】
（Ｓ３４）送信処理部１４０は、記憶部１１０に記憶された共有映像管理テーブル１１６を参照して対象の映像データが使用済みであるか否かを判定する。使用済みである場合、送信処理部１４０は、ステップＳ３８に処理を進める。使用済みでない場合、送信処理部１４０は、ステップＳ３５に処理を進める。使用済みである場合とは、対象の映像データに対して、使用日時が設定済みである場合である。使用済みでない場合とは、対象の映像データに対して、使用日時が未設定である場合である。なお、送信処理部１４０は、使用日時が設定済みであっても、共有映像管理テーブル１１６のリクエスト局が今回の提供先（Ｂ放送局８０）と一致する場合には、例外的に、ステップＳ３５（またはステップＳ３６）に処理を進めてもよい。
【００９０】
（Ｓ３５）送信処理部１４０は、コード変換映像１１５に対応する使用日時に現在の日時を設定する。
（Ｓ３６）送信処理部１４０は、共有映像管理テーブル１１６を参照して、検索されたメタデータ１１１に対応する対象の映像データを、映像受信サーバ３００に送信する。対象の映像データは、高レゾ素材１１２および低レゾ素材１１３を含む。また、対象の映像データは、送信用高レゾ映像１１４またはコード変換映像１１５を含む。例えば、変換部１３０は、送信用高レゾ映像１１４に対するトランスコードを行い、送信用高レゾ映像１１４の代わりに、コード変換映像１１５を映像受信サーバ３００に送信してもよい。
【００９１】
（Ｓ３７）送信処理部１４０は、映像提供サーバ２００と連携して、提供された映像データに応じた映像受信サーバ３００への課金処理を行う。具体的には、送信処理部１４０は、提供された映像に応じた映像提供料金の情報を映像提供サーバ２００から取得し、映像提供料金を含む課金情報を映像受信サーバ３００に送信して決済処理を実行させる。そして、送信処理部１４０は処理を終了する。
【００９２】
（Ｓ３８）送信処理部１４０は、リクエスト元である映像受信サーバ３００に対して、該当の映像データは使用済みであり提供できない旨の警告通知を送信する。そして、送信処理部１４０は、処理を終了する。
【００９３】
ここで、ステップＳ３８のように、管理サーバ１００は、他の放送局により対象の映像データが使用済みである場合に、その旨を映像受信サーバ３００に警告し、当該映像データの提供を行わないようにすることが考えられる。例えば、ある放送局に提供されたコンテンツを、別の放送局では利用しないという契約が存在する場合に、契約に反したコンテンツ提供を抑制できる点で有用である。
【００９４】
また、管理サーバ１００は、ステップＳ２４  Ｎｏの場合に、高レゾ素材１１２を受信済みであれば、ステップＳ２５，Ｓ２６をスキップしてステップＳ２７を実行してよい。この場合、管理サーバ１００は、映像提供サーバ２００に対して低レゾ素材の提供を要求し、ステップＳ２８を実行する。管理サーバ１００は、ステップＳ２４  Ｎｏの場合に、高レゾ素材１１２および低レゾ素材１１３の両方を受信済であれば、ステップＳ２５，Ｓ２６をスキップしてステップＳ２７を実行し、ステップＳ２８，Ｓ２９をスキップしてステップＳ３０を実行してよい。この場合、管理サーバ１００は、映像提供サーバ２００に対して送信用高レゾ映像の提供を要求し、ステップＳ３０を実行する。
【００９５】
次に、映像受信サーバ３００の処理手順を説明する。
図１１は、映像受信サーバの処理例を示すフローチャートである。以下、図１１に示す処理をステップ番号に沿って説明する。
【００９６】
（Ｓ４１）送信処理部３２０は、メタデータ３１１（メタデータ１１１に相当）の検索クエリを、管理サーバ１００に送信する。前述のように、検索クエリは、映像受信サーバ３００において放送用に利用されているエンコード形式の情報を含んでもよい。
【００９７】
（Ｓ４２）受信処理部３３０は、検索クエリに応じて検索されたメタデータ３１１およびタイトルを、管理サーバ１００から受信する。受信処理部３３０は、受信したメタデータ３１１およびタイトルを、記憶部３１０に記憶された受信映像管理テーブル３１５に登録する。
【００９８】
（Ｓ４３）受信処理部３３０は、高レゾ素材３１２（高レゾ素材１１２に相当）を管理サーバ１００から受信し、記憶部３１０に格納する。受信処理部３３０は、受信した高レゾ素材３１２の情報を受信映像管理テーブル３１５に登録する。
【００９９】
（Ｓ４４）受信処理部３３０は、高レゾ素材３１２に対応する低レゾ素材３１３（低レゾ素材１１３に相当）を管理サーバ１００から受信し、記憶部３１０に格納する。受信処理部３３０は、受信した低レゾ素材３１３の情報を受信映像管理テーブル３１５に登録する。
【０１００】
（Ｓ４５）受信処理部３３０は、送信用高レゾ映像３１４（コード変換映像１１５に相当）を管理サーバ１００から受信し、記憶部３１０に格納する。受信処理部３３０は、受信した送信用高レゾ映像３１４の情報を受信映像管理テーブル３１５に登録する。
【０１０１】
（Ｓ４６）受信処理部３３０は、管理サーバ１００から課金情報を受信する。映像受信サーバ３００における決済処理を行うソフトウェアは、課金情報に含まれる映像提供料金に関する決済処理を行う。そして、受信処理部３３０は、処理を終了する。
【０１０２】
次に、管理サーバ１００、映像提供サーバ２００および映像受信サーバ３００による処理の流れの具体例を説明する。
図１２は、映像データ共有システムのシーケンス例を示す図である。以下、図１２に示す処理をステップ番号に沿って説明する。
【０１０３】
（Ｓ５１）映像提供サーバ２００は、記憶部２１０に格納された高レゾ素材２１２の共有フラグが“ＴＲＵＥ”に設定されると、高レゾ素材２１２の編集状況（ステータス）を監視し、ステータスが変化すると変化後のステータスを管理サーバ１００へ通知する。最初の段階では、ステータスは、“未作成”である。編集（送信用高レゾ素材２１３の作成）が開始されると、ステータスは“編集中”に変更される。このとき、映像提供サーバ２００は、対象の高レゾ素材２１２を識別するためのタイトルおよびメタデータ２１１を管理サーバ１００に送信する。管理サーバ１００は、映像提供サーバ２００から受信したステータスを、タイトルおよびメタデータ２１１（メタデータ１１１に相当）に対応付けて、共有映像管理テーブル１１６に登録する。管理サーバ１００は、映像元である映像提供サーバ２００（あるいはＡ放送局７０）を識別するために、提供元として“Ａ放送局”を、共有映像管理テーブル１１６に登録する。
【０１０４】
（Ｓ５２）映像受信サーバ３００は、メタデータ３１１（メタデータ１１１に相当）の検索要求を管理サーバ１００に送信する。管理サーバ１００は、検索要求を受信し、検索要求に応じて、メタデータ３１１に対応するメタデータ１１１を共有映像管理テーブル１１６から検索する。管理サーバ１００は、検索されたレコードにおけるリクエスト局の項目に、映像受信サーバ３００に対応する“Ｂ放送局”を登録する。このとき、共有映像管理テーブル１１６には、メタデータ１１１の登録はあるが、メタデータ１１１に対応する映像データは未登録である。
【０１０５】
（Ｓ５３）管理サーバ１００は、検索されたメタデータ１１１およびメタデータ１１１に対応するタイトルの情報を、映像受信サーバ３００に送信する。映像受信サーバ３００は、メタデータ１１１（メタデータ３１１に相当）およびタイトルを受信し、受信映像管理テーブル３１５に登録する。
【０１０６】
（Ｓ５４）管理サーバ１００は、メタデータ１１１およびタイトルに対応する高レゾ素材の要求を、映像提供サーバ２００に送信する。なお、管理サーバ１００は、該当の高レゾ素材の提供元を、共有映像管理テーブル１１６における提供元の項目を参照することで把握できる。映像提供サーバ２００は、高レゾ素材の要求を受信する。
【０１０７】
（Ｓ５５）映像提供サーバ２００は、要求されたメタデータ１１１（メタデータ２１１に相当）およびタイトルに対応する高レゾ素材２１２を記憶部１１０から特定し、高レゾ素材２１２を管理サーバ１００に送信する。映像提供サーバ２００は、高レゾ素材２１２から低レゾ素材２１３を生成する処理を開始する。管理サーバ１００は、映像提供サーバ２００から高レゾ素材２１２（高レゾ素材１１２に相当）を受信する。管理サーバ１００は、受信した高レゾ素材１１２を記憶部１１０に格納し、共有映像管理テーブル１１６に高レゾ素材２１２の情報を登録する。なお、映像提供サーバ２００による低レゾ素材２１３の生成開始は、管理サーバ１００の高レゾ素材の要求に応じて行われてもよいし、当該要求を受信する前にユーザなどの生成開始指示に応じて行われてもよい。
【０１０８】
（Ｓ５６）管理サーバ１００は、記憶部１１０に記憶された高レゾ素材１１２を映像受信サーバ３００に送信する。映像受信サーバ３００は、管理サーバ１００から高レゾ素材１１２（高レゾ素材３１２に相当）を受信する。映像受信サーバ３００は、受信した高レゾ素材３１２を記憶部３１０に格納し、受信映像管理テーブル３１５に高レゾ素材３１２の情報を登録する。
【０１０９】
（Ｓ５７）映像提供サーバ２００は、低レゾ素材２１３の生成が完了され、低レゾ素材２１３が記憶部２１０に格納されると、低レゾ素材２１３を管理サーバ１００に送信する。管理サーバ１００は、低レゾ素材２１３（低レゾ素材１１３に相当）を受信する。管理サーバ１００は、受信した低レゾ素材１１３を記憶部１１０に格納し、共有映像管理テーブル１１６に低レゾ素材１１３の情報を登録する。
【０１１０】
（Ｓ５８）管理サーバ１００は、記憶部１１０に低レゾ素材１１３が格納されると、自動的に、映像受信サーバ３００に低レゾ素材１１３を送信する。映像受信サーバ３００は、管理サーバ１００から低レゾ素材１１３（低レゾ素材３１３に相当）を受信する。映像受信サーバ３００は、受信した低レゾ素材３１３を記憶部３１０に格納し、受信映像管理テーブル３１５に低レゾ素材３１３の情報を登録する。
【０１１１】
（Ｓ５９）映像提供サーバ２００は、送信用高レゾ映像２１４の生成が完了され、送信用高レゾ映像２１４が記憶部２１０に格納されると、送信用高レゾ映像２１４を管理サーバ１００に送信する。このとき、映像提供サーバ２００は、該当のメタデータ２１１およびタイトルに対して、編集状況（ステータス）“編集済み”を管理サーバ１００に送信する。管理サーバ１００は、送信用高レゾ映像２１４（送信用高レゾ映像１１４に相当）およびステータスを受信する。管理サーバ１００は、受信した送信用高レゾ映像１１４を記憶部３１０に格納し、送信用高レゾ映像１１４の情報およびステータス“編集済み”を、共有映像管理テーブル１１６に登録する。なお、映像提供サーバ２００による送信用高レゾ素材２１４の生成は、Ａ放送局７０のユーザによって適宜行われる（例えば、管理サーバ１００による高レゾ素材の要求の受け付け前から開始されていてもよいし、当該要求の受け付け後から開始されてもよい）。
【０１１２】
（Ｓ６０）管理サーバ１００は、映像受信サーバ３００により放送用に利用されるエンコード形式が、送信用高レゾ映像１１４とは異なるエンコード形式であることを検出し、送信用高レゾ映像１１４のトランスコードを行う。管理サーバ１００は、トランスコードにより生成したコード変換映像１１５を記憶部１１０に格納する。管理サーバ１００は、コード変換映像１１５の情報を共有映像管理テーブル１１６に登録する。
【０１１３】
（Ｓ６１）管理サーバ１００は、記憶部１１０にコード変換映像１１５が格納されると、自動的に、映像受信サーバ３００にコード変換映像１１５を送信する。映像受信サーバ３００は、管理サーバ１００からコード変換映像１１５（送信用高レゾ映像３１４に相当）を受信する。映像受信サーバ３００は、受信した送信用高レゾ映像３１４を記憶部３１０に格納し、受信映像管理テーブル３１５に送信用高レゾ映像３１４の情報を登録する。
【０１１４】
（Ｓ６２）映像受信サーバ３００は、送信用高レゾ映像３１４（コード変換映像１１５）のダウンロードの完了通知を管理サーバ１００に送信する。管理サーバ１００は、ダウンロードの完了通知を受信する。
【０１１５】
（Ｓ６３）管理サーバ１００は、映像提供サーバ２００に映像提供に伴う代金の精算要求を映像提供サーバ２００に送信する。映像提供サーバ２００は、精算要求を受信する。
（Ｓ６４）映像提供サーバ２００は、所定の精算処理を行い、代金の精算結果を管理サーバ１００に送信する。管理サーバ１００は、精算結果を受信する。
【０１１６】
（Ｓ６５）管理サーバ１００は、映像提供に伴う代金を含む課金情報を映像受信サーバ３００に送信する。映像受信サーバ３００は、課金情報を受信する。映像受信サーバ３００は、課金情報に基づいて、今回の映像取得に応じた代金の決済処理を行う。
【０１１７】
このように、映像提供サーバ２００は、高レゾ素材２１２が編集された映像データであり高レゾ映像２１２と同じ解像度である送信用高レゾ映像２１４（第３の映像データ）の記憶部２１０への追加に応じて送信用高レゾ映像２１４を管理サーバ１００に送信する。
【０１１８】
また、管理サーバ１００は、高レゾ素材１１２（高レゾ素材２１２に相当）を映像受信サーバ３００に送信した後に、映像提供サーバ２００から送信用高レゾ映像２１４（送信用高レゾ映像１１４に相当）を受信した場合に、送信用高レゾ映像１１４またはトランスコード後のコード変換映像１１５を映像受信サーバ３００に自動的に送信する。例えば、映像受信サーバ３００により放送用に利用されるエンコード形式が、送信用高レゾ映像１１４のエンコード形式と同じであれば、管理サーバ１００は、映像受信サーバ３００に送信用高レゾ映像１１４を提供してもよい。こうして、高レゾ素材２１２および低レゾ素材２１３に加えて、送信用高レゾ映像２１４またはコード変換映像１１５の共有も円滑に行える。
【０１１９】
また、管理サーバ１００は、映像受信サーバ３００への送信対象の映像データの第１のエンコード形式を、映像受信サーバ３００に応じた第２のエンコード形式に変換する。例えば、管理サーバ１００は、高レゾ素材１１２や低レゾ素材１１３のエンコード形式を、Ｂ放送局８０側での編集用ソフトウェアで利用されるエンコード形式に変換してもよい。これにより、Ｂ放送局８０での編集作業を円滑に行えるようになる。また、管理サーバ１００は、送信用高レゾ映像１１４のエンコード形式を、Ｂ放送局側で放送用に利用されるエンコード形式に変換してもよい。これにより、Ｂ放送局８０側での放送用の作業を円滑に行えるようになる。
【０１２０】
また、管理サーバ１００は、映像受信サーバ３００に対して高レゾ素材１１２を送信した後、映像受信サーバ３００以外の装置に対する高レゾ素材１１２、低レゾ素材１１３、送信用高レゾ映像１１４およびコード変換映像１１５を含む映像データの送信を制限する。これにより、提供済みの映像データが他の放送局により、契約などに反して不正に利用されることを防げる。
【０１２１】
更に、管理サーバ１００は、高レゾ素材１１２、低レゾ素材１１３、送信用高レゾ映像１１４およびコード変換映像１１５を含む映像データの送信に応じた課金額の情報を、映像受信サーバ３００に送信する。これにより、映像データ共有システムにおける、放送局間でのコンテンツ共有に応じた課金を円滑に行えるようになる。
【０１２２】
次に、管理サーバ１００による映像データの送信の具体例を説明する。
図１３は、映像データの送信例（その１）を示す図である。一例として、映像受信サーバ３００は、メタデータ“原”の検索クエリを管理サーバ１００に依頼する。管理サーバ１００は、メタデータ“原”を共有映像管理テーブル１１６から検索し、メタデータ“原”、タイトル“チームＧ対チームＴ”およびステータス“編集中”を、映像受信サーバ３００に応答する。なお、メタデータの検索方法としては、検索クエリの文字列に対する部分一致検索、複数の文字列に対するＡＮＤ検索、複数の文字列に対するＯＲ検索など種々の方法が考えられる。また、管理サーバ１００は、該当のメタデータ“原”およびタイトル“チームＧ対チームＴ”に対し、リクエスト局として“Ｂ放送局”を、共有映像管理テーブル１１６に登録する。
【０１２３】
映像受信サーバ３００は、検索されたメタデータ“原”、タイトル“チームＧ対チームＴ”およびステータス“編集中”を受信する。映像受信サーバ３００は、受信映像管理テーブル３１５に、タイトル“チームＧ対チームＴ”、メタデータ“原”およびステータス“編集中”のレコードを登録する。この段階では、当該レコードにおける高レゾ素材、低レゾ素材および送信用高レゾの項目は設定なしである。
【０１２４】
管理サーバ１００は、メタデータ“原”の高レゾ素材のファイル（ファイル名“ｈａｒａＳ．ｍｏｖ”）を映像提供サーバ２００から受信し、記憶部１１０に格納する。管理サーバ１００は、“ｈａｒａＳ．ｍｏｖ”（パスを含むファイル名とする）を共有映像管理テーブル１１６に登録する。管理サーバ１００は、高レゾ素材のファイル“ｈａｒａＳ．ｍｏｖ”を、映像受信サーバ３００に送信する。
【０１２５】
映像受信サーバ３００は、高レゾ素材のファイル“ｈａｒａＳ．ｍｏｖ”を管理サーバ１００から受信し、記憶部３１０に格納する。映像受信サーバ３００は、“ｈａｒａＳ．ｍｏｖ”を受信映像管理テーブル３１５に登録する。
【０１２６】
図１４は、映像データの送信例（その２）を示す図である。管理サーバ１００は、メタデータ“原”の低レゾ素材のファイル（ファイル名“ｈａｒａＬ．ｍｏｖ”）を映像提供サーバ２００から受信し、記憶部１１０に格納する。管理サーバ１００は、“ｈａｒａＬ．ｍｏｖ”を共有映像管理テーブル１１６に登録する。管理サーバ１００は、低レゾ素材のファイル“ｈａｒａＬ．ｍｏｖ”を、自動的に、映像受信サーバ３００に送信する。
【０１２７】
映像受信サーバ３００は、低レゾ素材のファイル“ｈａｒａＬ．ｍｏｖ”を管理サーバ１００から受信し、記憶部３１０に格納する。映像受信サーバ３００は、“ｈａｒａＬ．ｍｏｖ”を受信映像管理テーブル３１５に登録する。
【０１２８】
図１５は、映像データの送信例（その３）を示す図である。管理サーバ１００は、メタデータ“原”の送信用高レゾ映像のファイル（ファイル名“ｈａｒａＨ．ｍｏｖ”）を映像提供サーバ２００から受信し、記憶部１１０に格納する。管理サーバ１００は、メタデータ“原”、タイトル“チームＧ対チームＴ”の映像データについて、“ｈａｒａＨ．ｍｏｖ”およびステータス“編集済み”を共有映像管理テーブル１１６に登録する。
【０１２９】
管理サーバ１００は、映像受信サーバ３００において放送用に利用されるエンコード形式は、“．ｍｏｖ”ではなく、“．ＤＶＣ”であることを検出する。例えば、前述のように、映像受信サーバ３００で所望するエンコード形式は、記憶部１１０に予め格納されていてもよいし、管理サーバ１００がメタデータの検索クエリの受け付け時に、映像受信サーバ３００から当該エンコード形式の指定を受け付けてもよい。
【０１３０】
そして、管理サーバ１００は、“ｈａｒａＨ．ｍｏｖ”を拡張子“．ｍｏｖ”のファイルから拡張子“．ＤＶＣ”のファイルへトランスコードを行う。トランスコードにより、管理サーバ１００は、コード変換（．ｍｏｖから．ＤＶＣへの変換）後のトランスコード映像“ｈａｒａＨ．ＤＶＣ”を生成し、記憶部１１０に格納する。管理サーバ１００は、“ｈａｒａＨ．ＤＶＣ”を共有映像管理テーブル１１６に登録する。更に、管理サーバ１００は、“ｈａｒａＨ．ＤＶＣ”のファイルを映像受信サーバ３００に送ることになるため、共有映像管理テーブル１１６の使用日時の項目に、現在の日時（図１５の例では“２０１５／１０／８  １７：００”）を設定する。管理サーバ１００は、コード変換後画像（トランスコード映像）のファイル“ｈａｒａＨ．ＤＶＣ”およびステータス“編集済み”を、映像受信サーバ３００に送信する。
【０１３１】
映像受信サーバ３００は、コード変換後画像（トランスコード映像）のファイル“ｈａｒａＨ．ＤＶＣ”とステータス“編集済み”とを管理サーバ１００から受信する。ここで、映像受信サーバ３００は、“ｈａｒａＨ．ＤＶＣ”を記憶部３１０に格納する。映像受信サーバ３００は、送信用高レゾ映像として“ｈａｒａＨ．ＤＶＣ”を、受信映像管理テーブル３１５に登録する。また、映像受信サーバ３００は、今回提供を受けた映像データについて、ステータス“編集済み“を受信映像管理テーブル３１５に登録する。その後、映像受信サーバ３００は、管理サーバ１００と連携して今回の映像提供に対する決済処理を行う。
【０１３２】
こうして、Ｂ放送局８０のユーザは、Ａ放送局７０から提供された低レゾ素材“ｈａｒａＬ．ｍｏｖ”を利用して、各シーンを確認しながら、高レゾ素材“ｈａｒａＳ．ｍｏｖ”の編集を行える。編集の１つの例としては、複数の見所シーンを抽出し、抽出した複数の見所を結合した映像の作成などが考えられる。あるいは、送信用高レゾ映像“ｈａｒａＨ．ＤＶＣ”の時間が、番組内で予定されている尺を超えないならば、Ｂ放送局８０のユーザは、送信用高レゾ映像“ｈａｒａＨ．ＤＶＣ”をそのまま放送用に利用してもよい。
【０１３３】
第２の実施の形態の映像データ共有システムまたは管理サーバ１００によれば、映像データを効率よく共有することができる。具体的には次の通りである。
上記のように、Ａ放送局７０（または映像制作事業者）により保有される映像データをＢ放送局８０により取得し、Ｂ放送局８０で放送用に編集することがある。編集用の映像データには、編集の対象となる高解像度の高レゾ素材や、低解像度の低レゾ素材が含まれる。ここで、放送局間や映像制作事業者と放送局との間などで映像データを共有する際、映像データの有無や提供元／提供先での編集状況を、提供元／提供先のユーザ同士で確認し合いながら、提供元から提供先へユーザの判断で映像データを随時提供することが多い。しかし、この方法では、提供元／提供先のユーザ同士の連携作業に時間がかかり、映像データを効率的に共有することができないという問題がある。
【０１３４】
そこで、第２の実施の形態の映像データ共有システムでは、管理サーバ１００は、映像提供サーバ２００から受信した特定のメタデータ１１１（映像テーマ）の高レゾ素材１１２を保持する。そして、管理サーバ１００は、映像受信サーバ３００の要求に応じて高レゾ素材１１２を送信した後、メタデータ１１１の低レゾ素材１１３を映像提供サーバ２００から受信すると、低レゾ素材１１３を映像受信サーバ３００に自動的に送信する。これにより、例えば、Ａ放送局７０のユーザおよびＢ放送局８０のユーザの間で編集状況の確認を行いながら映像データを提供する連携作業を省力化でき、映像データの共有を効率化することができる。特に、映像データを適時に（タイムリーに）共有することができる。更に、映像データの提供に応じた課金を効率的に行える。
【０１３５】
なお、第１の実施の形態の情報処理は、制御部１２，２２に対応するプログラムにプログラムを実行させることで実現できる。また、第２の実施の形態の情報処理は、管理サーバ１００、映像提供サーバ２００および映像受信サーバ３００それぞれのプロセッサにプログラムを実行させることで実現できる。プログラムは、コンピュータ読み取り可能な記録媒体５３に記録できる。
【０１３６】
例えば、プログラムを記録した記録媒体５３を配布することで、プログラムを流通させることができる。また、プログラムを他のコンピュータに格納しておき、ネットワーク経由でプログラムを配布してもよい。コンピュータは、例えば、記録媒体５３に記録されたプログラムまたは他のコンピュータから受信したプログラムを、ＲＡＭ１０２やＨＤＤ１０３などの記憶装置に格納し（インストールし）、当該記憶装置からプログラムを読み込んで実行してもよい。
【符号の説明】
【０１３７】
１  映像データ共有システム
２  ネットワーク
１０  情報処理装置
１１，２１  記憶部
１２，２２  制御部
２０  映像データ提供装置
３０  映像データ受信装置
【図１】
2019050473.tif 000003
【図２】
2019050473.tif 000004
【図３】
2019050473.tif 000005
【図４】
2019050473.tif 000006
【図５】
2019050473.tif 000007
【図６】
2019050473.tif 000008
【図７】
2019050473.tif 000009
【図８】
2019050473.tif 000010
【図９】
2019050473.tif 000011
【図１０】
2019050473.tif 000012
【図１１】
2019050473.tif 000013
【図１２】
2019050473.tif 000014
【図１３】
2019050473.tif 000015
【図１４】
2019050473.tif 000016
【図１５】
2019050473.tif 000017